(57)【要約】【課題】平面照明装置を設置面に容易に設置することができるコネクタおよび当該コネクタを有する照明システムを提供する。【解決手段】平面照明装置４００が設置される設置面３００および平面照明装置４００のうちのいずれか一方に設けられるプラグ２０と、設置面３００および平面照明装置４００のうちの他方に設けられるジャック１０とを含み、平面照明装置４００を設置面３００に沿って移動させることによってプラグ２０とジャック１０とを接続する。プラグ２０は、移動時における前側であるほど互いに近接するように指向された一対の側壁部２０１，２０２を有する板状をなし、ジャック１０は、プラグ２０が移動時に進入可能な凹部１０８を有した板状をなす。ジャック１０の凹部１０８は、プラグ２０が進入したときにそれぞれ当該プラグ２０の側壁部２０１，２０２に対向して当接する一対の内側側壁１０１，１０２を有する。【選択図】図１
2015041465.tif 000002
【特許請求の範囲】
【請求項１】
平面照明装置が設置される設置面および前記平面照明装置において前記設置面に対向する対向面のうちのいずれか一方に設けられる第１接続部と、前記設置面および前記対向面のうちの他方に設けられる第２接続部とからなり、前記平面照明装置を前記設置面に沿って移動させることによって前記第１接続部と前記第２接続部とを接続して前記第１接続部と前記第２接続部との間で電気的接続を行うコネクタであって、
前記第１接続部は、少なくとも一部が前記移動時における前側であるほど互いに近接するように指向された一対の側壁部を有する板状をなし、
前記第２接続部は、前記第１接続部が前記移動時に進入可能な凹部を有した板状をなし、
前記第２接続部の前記凹部は、前記第１接続部が進入したときにそれぞれ当該第１接続部の側壁部の前記一部に少なくとも一部が対向して当接する一対の内側側壁を有する
ことを特徴とするコネクタ。
【請求項２】
前記第１接続部は、前記移動時における前側で前記一対の側壁部を相互に結合する前端部を有し、
前記前端部には、前記電気的接続を行うための第１接続端子が設けられ、
前記第２接続部は、前記第１接続部が当該第２接続部の前記凹部に進入したときに前記前端部に当接する内側前壁を有し、
前記内側前壁には、前記電気的接続を行うための第２接続端子が設けられている
ことを特徴とする請求項１に記載のコネクタ。
【請求項３】
前記第１接続部の前記一対の側壁部には、前記電気的接続を行うための第３接続端子が設けられ、
前記第２接続部の前記一対の内側側壁には、前記電気的接続を行うための第４接続端子が設けられている
ことを特徴とする請求項１または請求項２に記載のコネクタ。
【請求項４】
前記設置面は、平面照明装置が設けられる空間を仕切るために設けられた面、または前記平面照明装置が設置される照明システム内のユニットに設けられた面である
ことを特徴とする請求項１から請求項３のうちいずれかに記載のコネクタ。
【請求項５】
前記第２接続部の前記一対の内側側壁は、前記内側側壁の延設方向に沿って内方に凸設されたガイド部をそれぞれ含み、
前記第１接続部の前記一対の側壁部には、当該第１接続部が前記凹部に進入するときに前記ガイド部が係合して摺動するガイド溝が設けられている
ことを特徴とする請求項１から請求項４のうちいずれかに記載のコネクタ。
【請求項６】
前記第１接続部の前記一対の側壁部には、第１係合部が設けられ、
前記第２接続部の前記一対の内側側壁には、前記第１接続部が前記凹部に進入したときに前記第１係合部に係合する第２係合部が設けられている
ことを特徴とする請求項１から請求項５のうちいずれかに記載のコネクタ。
【請求項７】
前記第１係合部は凹形状部であり、
前記第２係合部は前記凹形状部内に付勢されて当該凹形状部に係合する凸形状部である
ことを特徴とする請求項６に記載のコネクタ。
【請求項８】
前記第２係合部は凹形状部であり、
前記第１係合部は前記凹形状部内に付勢されて当該凹形状部に係合する凸形状部である
ことを特徴とする請求項６に記載のコネクタ。
【請求項９】
前記第１接続部は、前記対向面に一体的に形成されている
ことを特徴とする請求項１から請求項８のうちいずれかに記載のコネクタ。
【請求項１０】
前記第２接続部は、前記対向面に一体的に形成されている
ことを特徴とする請求項１から請求項８のうちいずれかに記載のコネクタ。
【請求項１１】
請求項１から請求項１０のうちいずれかに記載のコネクタを有する照明システム。
【発明の詳細な説明】
【技術分野】
【０００１】
本発明は、平面照明装置を容易に設置するためのコネクタ、および当該コネクタを有する照明システムに関する。
【背景技術】
【０００２】
平面照明装置等の照明装置には、天井や壁面等の設置面に対向する面に、設置用機構が設けられている。そして、照明装置を天井や壁面等の設置面に設置するために、例えば、特許文献１に記載されているようなアダプタを予め設置面に設置する。
【０００３】
そして、設置者は、照明装置の設置用機構を設置面に設置されたアダプタに嵌め合わせて、当該照明装置を当該設置面に設置する。
【先行技術文献】
【特許文献】
【０００４】
【特許文献１】特開２００７−５３０６７号公報
【発明の概要】
【発明が解決しようとする課題】
【０００５】
しかし、特許文献１のアダプタは取り付け時に照明装置を回転する必要があるために平面照明装置間に隙間が必要となり、隙間無く天井に敷き詰めた状態に取り付けることができない。また、照明装置、特に平面照明装置を設置面に設置するときに、設置者は、照明装置において設置面に対向する面に設けられた設置用機構と、特許文献１に記載されているような、設置面に設置されたアダプタとを視認することができない。従って、設置者は、設置用機構とアダプタとを視認しない状態で、平面照明装置に設けられた設置用機構をアダプタに応じた正確な位置および方向であてがわなくてならない。よって、平面照明装置の設置面への設置は容易ではない。
【０００６】
本発明はこのような課題に鑑みてなされたものであり、その目的とするところは、平面照明装置を設置面に容易に設置することができるコネクタおよび当該コネクタを有する照明システムを提供することにある。
【課題を解決するための手段】
【０００７】
上記目的を達成するため、本発明のコネクタは、平面照明装置が設置される設置面および前記平面照明装置において前記設置面に対向する対向面のうちのいずれか一方に設けられる第１接続部と、前記設置面および前記対向面のうちの他方に設けられる第２接続部とからなり、前記平面照明装置を前記設置面に沿って移動させることによって前記第１接続部と前記第２接続部とを接続して前記第１接続部と前記第２接続部との間で電気的接続を行うコネクタであって、前記第１接続部は、少なくとも一部が前記移動時における前側であるほど互いに近接するように指向された一対の側壁部を有する板状をなし、前記第２接続部は、前記第１接続部が前記移動時に進入可能な凹部を有した板状をなし、前記第２接続部の前記凹部は、前記第１接続部が進入したときにそれぞれ当該第１接続部の側壁部の前記一部に少なくとも一部が対向して当接する一対の内側側壁を有することを特徴とする。そのような構成によれば、第１接続部における移動時の前側が第２接続部の凹部に進入すれば、第１接続部の少なくとも一部が第２接続部の凹部の内側側壁の少なくとも一部に当接して、第１接続部を第２接続部の凹部内の適切な位置に導くことができる。従って、第１接続部と第２接続部とを容易に接続することができる。よって、設置面に平面照明装置を容易に設置することができる。
【０００８】
前記第１接続部は、前記移動時における前側で前記一対の側壁部を相互に結合する前端部を有し、前記前端部には、前記電気的接続を行うための第１接続端子が設けられ、前記第２接続部は、前記第１接続部が当該第２接続部の前記凹部に進入したときに前記前端部に当接する内側前壁を有し、前記内側前壁には、前記電気的接続を行うための第２接続端子が設けられていてもよい。そのような構成によれば、第１接続部を第２接続部の凹部に進入させて、当該第１接続部の前端部を当該第２接続部の内側前壁に当接させれば当該第１接続部の第１接続端子と当該第２接続部の第２接続端子とが電気的に接続されるので、当該第１接続部と当該第２接続部とを容易に電気的に接続させることができる。
【０００９】
前記第１接続部の前記一対の側壁部には、前記電気的接続を行うための第３接続端子が設けられ、前記第２接続部の前記一対の内側側壁には、前記電気的接続を行うための第４接続端子が設けられていてもよい。そのような構成によれば、第１接続部を第２接続部の凹部に進入させて、当該第１接続部の一対の側壁部を当該第２接続部の一対の内側側壁にそれぞれ当接させれば当該第１接続部の第３接続端子と当該第２接続部の第４接続端子とが電気的に接続されるので、当該第１接続部と当該第２接続部とを容易に電気的に接続させることができる。
【００１０】
前記設置面は、平面照明装置が設けられる空間を仕切るために設けられた面、または前記平面照明装置が設置される照明システム内のユニットに設けられた面であってもよい。
【００１１】
前記第２接続部の前記一対の内側側壁は、前記内側側壁の延設方向に沿って内方に凸設されたガイド部をそれぞれ含み、前記第１接続部の前記一対の側壁部には、当該第１接続部が前記凹部に進入するときに前記ガイド部が係合して摺動するガイド溝が設けられていることが好ましい。そのような構成によれば、ガイド部とガイド溝とが係合し、当該ガイド溝が当該ガイド部を支持するので、平面照明装置を設置面に設置することを可能にして、設置面からの平面照明装置の脱落を良好に防止することができる。
【００１２】
前記第１接続部の前記一対の側壁部には、第１係合部が設けられ、前記第２接続部の前記一対の内側側壁には、前記第１接続部が前記凹部に進入したときに前記第１係合部に係合する第２係合部が設けられていることが好ましい。そのような構成によれば、第１接続部と第２接続部との意に反した容易な接続解除を良好に防止することができる。
【００１３】
前記第１係合部は凹形状部であり、前記第２係合部は前記凹形状部内に付勢されて当該凹形状部に係合する凸形状部であってもよいし、前記第２係合部は凹形状部であり、前記第１係合部は前記凹形状部内に付勢されて当該凹形状部に係合する凸形状部であってもよい。そのような構成によれば、簡便な方法で第１接続部と第２接続部との意に反した容易な接続解除を良好に防止することができる。
【００１４】
前記第１接続部は、前記対向面に一体的に形成されていてもよいし、前記第２接続部は、前記対向面に一体的に形成されていてもよい。
【００１５】
本発明による照明システムは、前述したコネクタのいずれかを有することを特徴とする。
【発明の効果】
【００１６】
本発明のコネクタおよび当該コネクタを有する照明システムによれば、第１接続部が、少なくとも一部が移動時における前側であるほど互いに近接するように指向された一対の側壁部を有し、第２接続部の凹部が、第１接続部が進入したときにそれぞれ当該第１接続部の側壁部の当該一部に少なくとも一部が対向して当接する一対の内側側壁を有するように構成されているので、第１接続部における移動時の前側が第２接続部の凹部に進入すれば、第１接続部の少なくとも一部が第２接続部の凹部の内側側壁の少なくとも一部に当接して、当該第１接続部を当該第２接続部の凹部内の適切な位置に導くことができる。従って、第１接続部と第２接続部とを容易に接続することができる。よって、設置面に平面照明装置を容易に設置することができる。
【図面の簡単な説明】
【００１７】
【図１】本発明の実施形態のコネクタを構成する板状のジャックおよび板状のプラグの構成例を示す斜視図である。
【図２】ジャックとプラグとが接続された状態のコネクタを示す斜視図である。
【図３】図２に示すIII−III線に沿う断面図を含むジャックとプラグとの接続図である。
【図４】ジャックの構成例を示す三面図である。
【図５】プラグの構成例を示す三面図である。
【図６】ジャックに設けられたロック機構の例を示す説明図である。
【図７】凸部の構成例を示す要部拡大図である。
【図８】凸部が板ばねによって形成された例を示す斜視図である。
【図９】プラグに設けられたロック機構の例を示す説明図である。
【図１０】ジャックに設けられたロック機構の他の例を示す説明図である。
【図１１】プラグに設けられたロック機構の他の例を示す説明図である。
【図１２】プリント基板にジャックを固定する構成例を示す三面図である。
【図１３】プリント基板にジャックを固定する他の構成例を示す説明図である。
【図１４】プリント基板にジャックを固定するさらに他の構成例を示す三面図である。
【図１５】ジャックが設置面に設置され、プラグが平面照明装置に設置される例を示す斜視図である。
【図１６】ジャックが平面照明装置に設置され、プラグが設置面に設置される例を示す斜視図である。
【図１７】ジャックとプラグとの他の例を示す平面図である。
【発明を実施するための形態】
【００１８】
本発明の実施形態について、図面を参照して説明する。まず、本発明によるコネクタの全体について説明する。図１は、本発明の実施形態のコネクタを構成する板状のジャック（第２接続部）１０および板状のプラグ（第１接続部）２０の構成例を示す斜視図である。図２は、ジャック１０とプラグ２０とが接続された状態のコネクタを示す斜視図である。図１および図２に示すように、本発明の実施形態のコネクタは、ジャック１０およびジャック１０と接続するプラグ２０を含む。
【００１９】
図３は、図２に示すIII−III線に沿う断面図を含み、設置面３００に設置されたジャック１０と平面照明装置４００に設置されたプラグ２０との接続図である。図３に示す例では、ジャック１０が平面照明装置４００が設置される空間の天面の設置面３００に設置され、プラグ２０が平面照明装置４００において設置面３００に対向する対向面に設置されている。従って、図３に示す例では、図１および図２とは異なり、ジャック１０がプラグ２０の上方にある。そして、平面照明装置４００に設置されたプラグ２０が設置者による当該平面照明装置４００の設置面３００に沿った移動に伴って当該設置面３００に沿って移動され、当該設置面３００に設置されたジャック１０と接続されることにより、当該平面照明装置４００は本発明によるコネクタを介して当該設置面３００に設置される。なお、設置面３００は、平面照明装置４００が設置される空間の壁面であってもよい。
【００２０】
次に、プラグ２０の構成について説明する。図１に示すように、プラグ２０は、台形状に形成された板状体であり、設置面３００に沿って移動（図１に示す矢印の方向に移動）されるときの前側であるほど互いに近接するように指向された一対の側壁部２０１，２０２を有する。以下、プラグ２０において、設置面３００に沿って移動されるときの前側の端部であって、一対の側壁部２０１，２０２を相互に結合する端部を前端部２０３といい、後ろ側の端部を後端部２０４という。
【００２１】
また、図１に示すように、一対の側壁部２０１，２０２には、当該一対の側壁部２０１，２０２の長手方向に沿って、後述する一対のガイド部１０５，１０６に対応して一対のガイド溝２０５，２０６が設けられており、プラグ２０がジャック１０の凹部１０８内に進入したときに一対のガイド部１０５，１０６がそれぞれ係合して摺動する。一対のガイド溝２０５，２０６は、底部２３５，２３６と、一対の対向壁２４５，２４６とをそれぞれ有する。
【００２２】
なお、図１〜図３に示す例では、一対のガイド溝２０５，２０６が有する一対の対向壁２４５，２４６の底部２３５，２３６からの高さは、いずれも同様であるように形成されているが、互いに異なっていてもよい。また、一対の対向壁２４５，２４６の厚さも互いに異なっていてもよい。
【００２３】
次に、プラグ２０と接続するジャック１０の構成について説明する。図１に示すように、ジャック１０は、プラグ２０が設置面３００に沿って移動したときに当該プラグ２０が進入可能な凹部１０８を有する。なお、具体的には、プラグ２０の一部であって、プラグ２０において、一対のガイド溝２０５，２０６によって挟まれた領域およびジャック１０への進入時に凹部１０８の底壁１０７に当該領域よりも近い部分が凹部１０８に進入する。そして、凹部１０８には、プラグ２０が当該凹部１０８内に進入したときに一対の側壁部２０１，２０２にそれぞれ対向して当接する一対の内側側壁１０１，１０２が設けられている。また、凹部１０８には、プラグ２０が当該凹部１０８内に進入したときに前端部２０３に当接する内側前壁１０３が設けられている。
【００２４】
従って、一対の内側側壁１０１，１０２は、一対の側壁部２０１，２０２に対応して、内側前壁１０３に近いほど互いに近接するように指向されている。そして、前述したように、一対の内側側壁１０１，１０２は、前述した一対のガイド溝２０５，２０６に対応して設けられた一対のガイド部１０５，１０６を含み、プラグ２０がジャック１０の凹部１０８内に進入したときに一対のガイド溝２０５，２０６にそれぞれ係合して摺動する。
【００２５】
よって、設置者による平面照明装置４００の移動に伴ってプラグ２０が設置面３００に沿って移動され、少なくとも前端部２０３がジャック１０の凹部１０８内に進入すれば、特に、ガイド溝２０５，２０６がガイド部１０５，１０６と係合して摺動することにより、当該プラグ２０は凹部１０８の内側側壁１０１，１０２に沿って凹部１０８内の適切な位置に導かれる。ゆえに、ジャック１０が設けられた設置面３００に、プラグ２０が設けられた平面照明装置４００を容易に設置することができる。
【００２６】
また、図３に示すように、プラグ２０とジャック１０とがいずれも板状体であり、いずれも主面が設置面３００に沿った状態で接続されるので、平面照明装置４００を設置面３００に近接して設置することができる。従って、平面照明装置４００における薄型という利点を犠牲にすることなく当該平面照明装置４００を設置面３００に設置することができる。
【００２７】
さらに、設置面３００が天面や壁面である場合には、図３に示すように、ジャック１０の一対のガイド部１０５，１０６がプラグ２０の一対のガイド溝２０５，２０６と係合して支持するので、平面照明装置４００を設置面３００に設置することができる。
【００２８】
次に、本発明のコネクタを構成するジャック１０とプラグ２０との間の電気的接続について説明する。図４は、ジャック１０の構成例を示す三面図である。図４（ａ）は、ジャック１０の平面図であり、図４（ｂ）は、ジャック１０の側面図であり、図４（ｃ）は、ジャック１０の正面図である。
【００２９】
図４（ａ），（ｃ）に示すように、ジャック１０の内側前壁１０３には導電端子（第２接続端子）１０９が設けられ、その両端部は一対の内側側壁１０１，１０２まで延設されている。なお、導電端子１０９は、一対の内側側壁１０１，１０２まで延設されていなくてもよい。また、図４（ａ），（ｃ）に示すように、ジャック１０の一対の内側側壁１０１，１０２の延設方向の中程には、導電端子（第４接続端子）１１０，１１１がそれぞれ設けられている。
【００３０】
また、導電端子１０９，１１０，１１１は、プラグ２０を介した平面照明装置４００への電力供給を目的に設けられており、導電端子１０９，１１０，１１１のうち少なくともいずれか２つは、電力供給端子として用いられるのであるが、残りの１つの導電端子は、信号伝達端子として用いられてもよい。
【００３１】
導電端子１０９，１１０，１１１のうちいずれか２つ（例えば、導電端子１１０，１１１）を電力供給端子とし、残りの１つの導電端子（例えば、導電端子１０９）を信号伝達端子として用いた場合には、例えば、平面照明装置４００に設けられたセンサ（図示せず）が検出した情報を設置面３００側に設けられた制御装置（図示せず）に伝達することができ、また、伝達された情報や、ユーザの指示、他の箇所に設けられたセンサが検出した情報等に応じた制御情報を制御装置が平面照明装置４００に伝達して、当該制御情報に基づいて平面照明装置４００を制御することを可能にすることができる。
【００３２】
図５は、プラグ２０の構成例を示す三面図である。図５（ａ）は、プラグ２０の平面図であり、図５（ｂ）は、プラグ２０の側面図であり、図５（ｃ）は、プラグ２０の正面図である。
【００３３】
図５（ａ），（ｂ），（ｃ）に示すように、プラグ２０の前端部２０３には導電端子（第１接続端子）２０９が設けられ、その両端部は一対の側壁部２０１，２０２まで延設されている。なお、導電端子２０９は、一対の側壁部２０１，２０２まで延設されていなくてもよい。また、図５（ｂ），（ｃ）に示すように、プラグ２０の一対のガイド溝２０５，２０６を形成するように延設された一対の対向壁２４５，２４６のそれぞれのうち、ジャック１０の内側側壁１０１，１０２と対向する側の上面において、対向壁２４５，２４６の延設方向の中程には、導電端子（第３接続端子）２１０，２１１がそれぞれ設けられている。
【００３４】
ジャック１０の導電端子１０９，１１０，１１１と、プラグ２０の導電端子２０９，２１０，２１１とは、プラグ２０がジャック１０に進入してプラグ２０の前端部２０３がジャック１０の凹部１０８の内側前壁１０３に当接したときに、互いに電気的に接続されるように構成されている。
【００３５】
そのため、導電端子１１０，１１１と導電端子２１０，２１１とは、プラグ２０の前端部２０３がジャック１０の凹部１０８の内側前壁１０３に当接したときに、互いに対応する位置に設けられている。また、ジャック１０とプラグ２０とに導電端子を設ける代わりに、または導電端子に加えて、設置面３００側から平面照明装置４００に電力を供給する無接点給電用の構成がそれぞれに用意されていてもよいし、設置面３００側と平面照明装置４００との間で情報を送受信する無線通信用の構成がそれぞれに用意されていてもよい。
【００３６】
次に、本発明のコネクタを構成するジャックとプラグとの間の係合について説明する。本発明のコネクタを構成するジャック１１とプラグ２１とには、互いに接続されたジャック１１とプラグ２１とが意に反して容易に接続解除されることを防ぐために、ロック機構が設けられている。図６は、ジャック１１に設けられたロック機構の例を示す説明図である。図６（ａ）は、ジャック１１の端面１０４を示す正面図であり、図６（ｂ）は、図６（ａ）に示すｂ−ｂ線に沿う断面図である。図６に示すジャック１１は、図１等を参照して前述したジャック１０とは凸部（第２係合部）１１２，１１３を有する点が異なる。その他の構成要素は同じであるので、対応する構成要素には図１等と同じ符号を付し、説明を省略する。
【００３７】
図６（ｂ）に示すように、ジャック１１の一対の内側側壁１０１，１０２の延設方向の中程からやや端面１０４に近い位置に、凸部１１２，１１３が各々設けられている。図７は、凸部１１３の構成を示す要部拡大図である。図６および図７に示す例では、凸部１１３は、凹部１０８の内方を指向して弧状に凸設された板ばねによって形成されている。図８は、例として板ばねによって形成された凸部１１３を示す斜視図である。図７および図８に示す例では、凸部１１３は板ばねであるが、板ばねでなくてもよく、凸部１１３は押しばね等の他の方法で凹部１０８の内方に突出するように付勢されていればよい。なお、凸部１１２も凸部１１３と同様に、凹部１０８の内方に凸設された板ばねによって形成されていてもよいし、押しばね等の他の方法で凹部１０８の内方に突出するように付勢されて形成されていてもよい。
【００３８】
図９は、プラグ２１に設けられたロック機構を示す説明図である。図９（ａ）は、プラグ２１の前端部２０３を示す正面図であり、図９（ｂ）は、図９（ａ）に示すｂ−ｂ線に沿う断面図である。図９に示すプラグ２１は、図１等を参照して前述したプラグ２０とは凹部（第１係合部）２１２，２１３を有する点が異なる。その他の構成要素は同じであるので、対応する構成要素には図１等と同じ符号を付し、説明を省略する。
【００３９】
図９（ｂ）に示すように、プラグ２１の側壁部２０１，２０２において、当該プラグ２１がジャック１１の凹部１０８内に収容されたときに内側側壁１０１，１０２にそれぞれ対向するように延設された凸端部２２１，２２２には、当該凸端部２２１，２２２の延設方向の中程からやや後端部２０４に近い位置に、凹部２１２，２１３が各々設けられている。図９（ｂ）に示すように、凹部２１２，２１３は、図６〜図８に例示した凸部１１２，１１３と係合する形状に形成されている。また、凹部２１２，２１３と凸部１１２，１１３とは、プラグ２１がジャック１１の凹部１０８内に進入し、例えば、プラグ２１の前端部２０３がジャック１１の内側前壁１０３に当接したときに、互いに係合する位置にそれぞれ設けられている。
【００４０】
図６から図９を例示して説明した例では、ジャック１１に凸部１１２，１１３が設けられ、プラグ２１に凹部２１２，２１３が設けられていたが、ロック機構として、ジャックに凹部が設けられ、プラグに凸部が設けられていてもよい。図１０は、凹部（第２係合部）１５２，１５３が設けられたジャック１２を示す説明図である。図１０に示すジャック１２は、前述した図６に示すジャック１１に対して、凸部１１２，１１３に代えて凹部１５２，１５３を有する点が異なる。その他の構成要素は同じであるので、対応する構成要素には図１０において図６と同じ符号を付し、説明を省略する。図１０（ａ）は、ジャック１２の端面１０４を示す正面図であり、図１０（ｂ）は、図１０（ａ）に示すｂ−ｂ線に沿う断面図である。
【００４１】
図１０（ｂ）に示すように、ジャック１２の一対の内側側壁１０１，１０２の延設方向の中程からやや端面１０４に近い位置に、凹部１５２，１５３が各々設けられている。
【００４２】
図１１は、凸部（第１係合部）２５２，２５３が設けられたプラグ２２を示す説明図である。図１１に示すプラグ２２は、前述した図９に示すプラグ２１に対して、凹部２１２，２１３に代えて凸部２５２，２５３を有する点が異なる。その他の構成要素は同じであるので、対応する構成要素には図１１において図９と同じ符号を付し、説明を省略する。図１１（ａ）は、プラグ２２の前端部２０３を示す正面図であり、図１１（ｂ）は、図１１（ａ）に示すｂ−ｂ線に沿う断面図である。
【００４３】
図１１（ｂ）に示すように、プラグ２２の凸端部２２１，２２２の長手方向の中程からやや後端部２０４に近い位置に、凸部（第１係合部）２５２，２５３が各々設けられている。凸部２５２，２５３は、凸端部２２１，２２２から凸設されている。なお、凸部２５２，２５３は、例えば、図７および図８を例示して説明した凸部１１２，１１３と同様に板ばねによって形成されていてもよい。なお、凸部１１２，１１３と同様に、押しばね等の他の方法で凸端部２２１，２２２から凹部１０８の内方に突出するように付勢されて形成されていてもよい。
【００４４】
なお、凹部１５２，１５３は、凸部２５２，２５３と係合する形状に形成されている。また、凹部１５２，１５３と凸部２５２，２５３とは、プラグ２２がジャック１２の凹部１０８内に進入し、例えば、プラグ２２の前端部２０３がジャック１２の内側前壁１０３に当接したときに、互いに係合する位置にそれぞれ設けられている。
【００４５】
また、導電端子１１０，１１１が、凸部１１２，１１３や凹部１５２，１５３に近接してそれぞれ設けられ、導電端子２１０，２１１が、凹部２１２，２１３や凸部２５２，２５３に近接してそれぞれ設けられている。また、各凹部および各凸部を導電性素材によって形成して、各凹部および各凸部をそれぞれ導電端子として利用してもよい。
【００４６】
次に、設置面３００に設けられたプリント基板にジャックを固定する方法について説明する。図１２は、ジャック１３においてプリント基板に固定する構成例を示す三面図である。図１２（ａ）は、ジャック１３の平面図であり、図１２（ｂ）は、ジャック１３の側面図であり、図１２（ｃ）は、端面１０４側を示す正面図である。なお、図１２に示す例では、ジャック１３は、凹部１０８が設けられている面と反対側の裏面１１４に対向するプリント基板に固定されるとする。図１２に示すジャック１３は、図１等を参照して前述したジャック１０とは半田付け用端子１１５，１１６，１１７を有する点が異なる。その他の構成要素は同じであるので、対応する構成要素には図１等と同じ符号を付し、説明を省略する。
【００４７】
図１２（ａ）〜（ｃ）に示す例では、ジャック１３の裏面１１４に、プリント基板と導電端子１０９，１１０，１１１とを電気的に接続するとともに、ジャック１３とプリント基板とを接合するための半田付け用端子１１５，１１６，１１７が設けられている。具体的には、図１２（ａ）〜（ｃ）に示す例では、ジャック１３において、半田付け用端子１１５が裏面１１４において端面１０４の反対側から裏面１１４に沿って凸設され、半田付け用端子１１６が裏面１１４において凹部１０８の外側側壁１１８側から裏面１１４に沿って凸設され、半田付け用端子１１７が裏面１１４において凹部１０８の外側側壁１１９側から裏面１１４に沿って凸設されている。なお、半田付け用端子１１５は、例えば、導電端子１０９まで貫設された貫通孔に配設された導電性部材によって導電端子１０９と電気的に接続されている。また、半田付け用端子１１６は、例えば、導電端子１１０まで貫設された貫通孔に配設された導電性部材によって導電端子１１０と電気的に接続されている。半田付け用端子１１７は、例えば、導電端子１１１まで貫設された貫通孔に配設された導電性部材によって導電端子１１１と電気的に接続されている。
【００４８】
また、図１２（ａ）〜（ｃ）に示すように、凹部１０８には、底壁１０７から裏面１１４側に向けて、ジャック１３をプリント基板に固定するためのピン５０，５１が貫入されている。ピン５０，５１は、例えば、ジャック１３を所定の位置に配設するためにプリント基板に予め用意された貫通孔に貫入されることにより、ジャック１３をプリント基板に固定する。そして、ジャック１３は、ピン５０，５１によって、プリント基板において当該ジャック１３が固定されるべき位置に配設される。
【００４９】
図１３は、ジャック１４においてプリント基板に固定する他の構成例を示す説明図である。図１３（ａ）は、ジャック１４の正面図であり、図１３（ｂ）は、ジャック１４の側面図である。図１３に示すジャック１４は、図１等を参照して前述したジャック１０とはピン５３ｈ，ｉ，ｊを有する点が異なる。その他の構成要素は同じであるので、対応する構成要素には図１等と同じ符号を付し、説明を省略する。図１３に示す例では、ジャック１４には、プラグ２０の導電端子２０９に対応する位置に、例えば、導電性のピン５３ｈがプリント基板に設けられたランドに一端を半田付けされて配設されている。具体的には、ピン５３ｈは、プラグ２０の前端部２０３がジャック１４の内側前壁１０３に当接したときに、プラグ２０の導電端子２０９がピン５３ｈの周面に当接して電気的に接続されるように配設されている。
【００５０】
また、プラグ２０の導電端子２１０に対応する位置に、例えば、導電性のピン５３ｉがプリント基板に設けられたランドに一端を半田付けされて配設されている。具体的には、ピン５３ｉは、プラグ２０の前端部２０３がジャック１４の内側前壁１０３に当接したときに、プラグ２０の導電端子２１０がピン５３ｉの周面に当接して電気的に接続されるように配設されている。さらに、プラグ２０の導電端子２１１に対応する位置に、例えば、導電性のピン５３ｊがプリント基板に設けられたランドに一端を半田付けされて配設されている。具体的には、ピン５３ｊは、プラグ２０の前端部２０３がジャック１４の内側前壁１０３に当接したときに、プラグ２０の導電端子２１１がピン５３ｊの周面に当接して電気的に接続されるように配設されている。
【００５１】
このような構成によれば、ピン５３ｈ，ｉ，ｊを、電気接続用および固定用に共用し、部品点数および組み立て工数を削減することができる。
【００５２】
図１４は、ジャック１５においてプリント基板に固定するさらに他の構成例を示す三面図である。図１４（ａ）は、ジャック１５の平面図であり、図１４（ｂ）は、ジャック１５の側面図であり、図１４（ｃ）は、端面１０４を示す正面図である。図１４に示すジャック１５は、図１等を参照して前述したジャック１０とは板ばね６０を有する点が異なる。その他の構成要素は同じであるので、対応する構成要素には図１等と同じ符号を付し、説明を省略する。
【００５３】
図１４（ａ），（ｂ）に示すように、本構成例のジャック１５には、導電端子１０９と電気的に接続され、裏面１１４からプリント基板側に突出するように付勢された板ばね６０が設けられている。導電端子１０９と板ばね６０とは、例えば、両者を接続する貫通孔内に設けられた導電性部材によって電気的に接続されている。図１４（ａ），（ｂ）に示すように、板ばね６０は、端面１０４とは反対側の端面側に配設されている。なお、導電端子１０９と板ばね６０とは、一方の辺が板ばね６０を形成するとともに、他方の辺が導電端子を形成するように中途で屈曲された導電性の板状体によって一体となって構成されてもよい。
【００５４】
また、図１４（ａ）〜（ｃ）に示すように、ジャック１５は、内側側壁１０１，１０２の近傍に裏面１１４から裏面１１４の反対側の面に向けて設けられた貫通孔に当該反対側の面からねじ７０が挿入され、当該ねじ７０が予めプリント基板に設けられている接続用孔に螺入されることによってジャック１５がプリント基板に設置されてもよい。また、内側側壁１０１，１０２の近傍に裏面１１４から裏面１１４の反対側の面に向けて設けられた貫通孔に、プリント基板を挟んで当該反対側の面に向けてねじ７０が挿入されて、ジャック１５がプリント基板に設置されてもよい。
【００５５】
図１２〜図１４には、ジャック１３，１４，１５がピン５０，５１，５３ｈ，ｉ，ｊや、ねじ７０によってプリント基板に設置される例を示したが、同様な方法でプラグ２０がプリント基板に設置される。また、プラグ２０またはジャック１３，１４，１５が平面照明装置４００と一体的に形成されていてもよい。
【００５６】
次に、ジャック１０およびプラグ２０を、プリント基板ではなく、設置面３００および平面照明装置４００に設置する方法について説明する。まず、ジャック１０を設置面３００に設置し、プラグ２０を平面照明装置４００に設置する方法について説明する。
【００５７】
図１５は、ジャック１０が設置面３００に設置され、プラグ２０が平面照明装置４００に設置される例を示す斜視図である。図１５（ａ）には、ジャック１０を設置面３００に設置する方法を示す斜視図が示されている。図１５（ａ）に示す例では、図１４（ａ）〜（ｃ）に示す例と同様に、ジャック１０は、内側側壁１０１，１０２の近傍に裏面１１４から裏面１１４の反対側の面に向けて設けられた貫通孔に当該反対側の面から裏面１１４側に向けてねじ７０が挿入され、当該ねじ７０によって設置面３００に設置される。
【００５８】
図１５（ｂ）は、プラグ２０を平面照明装置４００に設置する方法を示す斜視図である。図１５（ｂ）に示すように、板状体であるプラグ２０は、平面照明装置４００に対向する面から反対側の面に向けて設けられた貫通孔に、当該反対側の面からねじ８０が挿入され、当該ねじ８０によって平面照明装置４００に締結されて設置される。なお、図１５（ｂ）に示す例では、プラグ２０と平面照明装置４００とはねじ８０によって締結されているが、プラグ２０と平面照明装置４００とは一体成形されていてもよい。
【００５９】
図１６は、ジャック１０が平面照明装置４００に設置され、プラグ２０が設置面３００に設置される例を示す斜視図である。図１６（ａ）には、プラグ２０を設置面３００に設置する方法を示す斜視図が示されている。図１６（ａ）に示す例では、図１５（ｂ）に示す例と同様に、板状体であるプラグ２０は、設置面３００に対向する面から反対側の面に向けて設けられた貫通孔に、当該反対側の面からねじ８０が挿入され、当該ねじ８０によって設置面３００に設置される。
【００６０】
図１６（ｂ）は、ジャック１０を平面照明装置４００に設置する方法を示す透視断面図である。図１６（ｂ）に示す例では、ジャック１０は、平面照明装置４００に埋設されている。なお、図１６（ｂ）に示す例では、プラグ２０によるジャック１０の凹部１０８への進入を容易にするため、平面照明装置４００におけるジャック１０の端面１０４の周囲には、プラグ２０を一旦収容する凹部４００ａが設けられている。プラグ２０は、凹部４００ａに一旦収容され、前端部２０３側からジャック１０の凹部１０８に進入する。
【００６１】
なお、ジャック１０は、図１５（ａ）に例示した設置面３００への設置方法と同様な方法で、内側側壁１０１，１０２の近傍に裏面１１４から裏面１１４の反対側の面に向けて設けられた貫通孔に当該反対側の面から裏面１１４側に向けてねじが挿入され、当該ねじによって平面照明装置４００に設置されてもよい。そのような構成によれば、ジャック１０が平面照明装置４００の外装から突出するので、平面照明装置４００における凹部４００ａの形成を省略することができる。
【００６２】
本実施形態によれば、プラグ２０の少なくとも前端部２０３がジャック１０の凹部１０８内に進入すれば、プラグ２０の側壁部２０１，２０２の少なくとも一部がジャック１０の凹部１０８の内側側壁１０１，１０２の少なくとも一部に当接して、当該プラグ２０をジャック１０の凹部１０８内の適切な位置に導くことができる。従って、ジャック１０とプラグ２０との精密な位置あわせを要することなく、ジャック１０とプラグ２０とを容易に接続することができる。よって、平面照明装置４００を設置面３００に容易に設置することができる。この効果は、特に、設置面３００が天面であり、設置者が天面を見上げてもジャック１０およびプラグ２０を視認困難な状況における平面照明装置４００の設置時に特に有効である。
【００６３】
また、本実施形態によれば、ジャック１０の内側前壁１０３に導電端子１０９が設けられ、プラグ２０の前端部２０３に導電端子２０９が設けられているので、プラグ２０の前端部２０３をジャック１０の内側前壁１０３に当接させることで、ジャック１０とプラグ２０とを容易に電気的に接続することができる。
【００６４】
本実施形態によれば、ジャック１０の一対の内側側壁１０１，１０２に導電端子１１０，１１１がそれぞれ設けられ、プラグ２０の凸端部２２１，２２２に導電端子２１０，２１１がそれぞれ設けられているので、プラグ２０の凸端部２２１，２２２を含む一対の側壁部２０１，２０２をジャック１０の内側側壁１０１，１０２に当接させることで、ジャック１０とプラグ２０とを容易に電気的に接続することができる。
【００６５】
また、本実施形態によれば、プラグ２０に設けられたガイド溝２０５，２０６に、ジャック１０に設けられたガイド部１０５，１０６がそれぞれ係合して摺動するので、より容易かつ円滑に、プラグ２０をジャック１０の凹部１０８の内奥に導くことができる。
【００６６】
本実施形態においてジャック１１，１２とプラグ２１，２２とを用いた例によれば、ロック機構が設けられているので、ジャック１１，１２とプラグ２１，２２との意に反する接続解除を良好に防ぐことができる。
【００６７】
以上に述べた実施形態では、平面照明装置４００が設置される設置面３００は、空間を仕切るために設けられた面である天面や壁面であるとして説明したが、設置面３００はそれらに限定されず、例えば、照明システムにおける電源供給ユニット等に設けられた平面であってもよい。すると、平面照明装置４００を照明システムに容易に組み込むことができる。つまり、本発明によるコネクタを有する照明システムによれば、平面照明装置４００を当該照明システムに容易に組み込むことができる。
【００６８】
なお、プラグ２０の側壁部２０１，２０２の一部であるガイド溝２０５，２０６が、プラグ２０が設置面３００に沿って移動されるときの前側であるほどに互いに近接するように指向され、かつ、ジャック１０の内側側壁１０１，１０２の一部であるガイド部１０５，１０６が内側前壁１０３に近いほど互いに近接するように指向されていれば、プラグ２０をジャック１０の凹部１０８の内奥に導くことができるので、プラグ２０の一対の側壁部２０１，２０２の全体に亘ってプラグ２０が設置面３００に沿って移動されるときの前側であるほどに互いに近接するように指向されている必要はないし、ジャック１０の一対の内側側壁１０１，１０２の全体に亘って内側前壁１０３に近いほど互いに近接するように指向されている必要はない。
【００６９】
従って、ジャック１０およびプラグ２０における設置面３００に投影した形状は、本実施形態のように台形に限らず、例えば、長方形であってもよい。
【００７０】
図１７は、設置面３００に投影した形状が長方形である場合のプラグ２６およびジャック１６の例を示す平面図である。図１７（ａ）には、設置面３００に対向する面に投影した形状が長方形であるプラグ２６の平面図が示されている。図１７（ｂ）には、設置面３００に対向する面に投影した形状が長方形であるジャック１６の平面図が示されている。
【００７１】
図１や図５等に示すプラグ２０の場合、一対のガイド溝２０５，２０６の底部２３５，２３６を含む一対の側壁部２０１，２０２が、全体に亘って前端部２０３に近いほど互いに近接するように指向されて設けられている。
【００７２】
それに対して、図１７（ａ）に示すプラグ２６の場合、一対の側壁部２８５，２８６として、前端部２０３に近いほど互いに近接するように指向された一対の底面２５５，２５６と、当該底面２５５に沿って当該底面２５５を挟むように当該底面２５５から凸設された一対の対向壁２６５と、当該底面２５６に沿って当該底面２５６を挟むように当該底面２５６から凸設された一対の対向壁２６６とが設けられている。そして、一対の対向壁２６５と一対の対向壁２６６とは、互いの突端の間の距離が前端部２０３から後端部２０４に亘って一定であるように設けられている。従って、一対の対向壁２６５と一対の対向壁２６６とは、互いの突端が平行であるように指向されている。なお、底面２５５と一対の対向壁２６５とが一方の側壁部２８５に相当し、底面２５６と一対の対向壁２６６とが他方の側壁部２８６に相当し、一方の側壁部２８５と他方の側壁部２８６とが一対の側壁部に相当する。プラグ２６のその他の構成は図５等に示すプラグ２０における構成と同様なため、対応する構成要素には同じ符号を付して説明を省略する。
【００７３】
また、図１や図４等に示すジャック１０の場合、プラグ２０がジャック１０の凹部１０８内に進入したときにプラグ２０の一対の側壁部２０１，２０２にそれぞれ対向して当接するように一対の内側側壁１０１，１０２が設けられている。そして、一対のガイド部１０５，１０６が、プラグ２０の一対のガイド溝２０５，２０６にそれぞれ対応して設けられ、プラグ２０がジャック１０の凹部１０８内に進入したときに一対のガイド部１０５，１０６が一対のガイド溝２０５，２０６にそれぞれ係合して摺動する。また、一対の外側側壁１１８，１１９は、内側前壁１０３に近いほど互いに近接するように指向されている。
【００７４】
それに対して、図１７（ｂ）に示すジャック１６の場合、一対の内側側壁として、プラグ２６がジャック１６の凹部１０８内に進入したときに凹部１０８内の対向壁２６５，２６６の突端とそれぞれ対向するように延設された一対の延設壁１６５，１６６が設けられている。そして、一対の延設壁１６５，１６６は、プラグ２６がジャック１６の凹部１０８内に進入したときにプラグ２６の一対の底面２５５，２５６にそれぞれ対向して当接するように延設された一対の内向壁１５５，１５６を含む。従って、一対の内向壁１５５，１５６は、突端が内側前壁１０３に近いほど互いに近接するように指向されている。また、延設壁１６５，１６６は、互いに平行であるように指向されて延設されている。そして、一対の外側側壁１７５，１７６も、互いに平行であるように指向されている。ジャック１６のその他の構成は図４等に示すジャック１０における構成と同様なため、対応する構成要素には同じ符号を付して説明を省略する。
【００７５】
図１７に示す例でも、プラグ２６をジャック１６の凹部１０８内の適切な位置に導くことができる。その理由は、プラグ２６が設置面３００に沿って移動されるときの前側であるほどに互いに近接するようにプラグ２６の一対の底面２５５，２５６が指向され、かつ、ジャック１６の一対の内向壁１５５，１５６の突端が内側前壁１０３に近いほど互いに近接するように指向され、プラグ２６の一対の底面２５５，２５６がそれぞれ対向して当接しながらジャック１６の凹部１０８内に進入するからである。
【００７６】
しかし、より容易かつ円滑に、プラグ２０をジャック１０の凹部１０８の内奥に導くために、図５に示されているプラグ２０のように、一対の側壁部２０１，２０２は全体に亘ってプラグ２０が設置面３００に沿って移動されるときの前側であるほどに互いに近接するように指向されていることが好ましく、図４に示されているジャック１０のように、一対の内側側壁１０１，１０２は全体に亘って内側前壁１０３に近いほど互いに近接するように指向されていることが好ましい。従って、図５に示されているように、プラグ２０における設置面３００に対向する面に投影した形状は、本実施形態のように台形であることが好ましい。
【００７７】
なお、プラグ２６において、底面２５５，２５６は、プラグ２６が設置面３００に沿って移動されるときの前側であるほどに互いに近接するように指向されていて、側壁部２８５，２８６の一部をなすので、本発明の側壁部の一部に相当する。また、プラグ２６において、底面２５５を底部とし一対の対向壁２６５において互いに向かい合う面を内壁として一方のガイド溝が構成され、底面２５６を底部とし一対の対向壁２６６において互いに向かい合う面を内壁として他方のガイド溝が構成され、当該一方のガイド溝と他方のガイド溝とで一対のガイド溝が構成される。
【００７８】
また、ジャック１６において、一対の延設壁１６５，１６６のうち一対の内向壁１５５，１５６は、側壁部２８５，２８６の一部である底面２５５，２５６に対向して当接するようになっているので、本発明の内側側壁の一部に相当するとともに、一対のガイド部に相当する。
【００７９】
なお、内側側壁１０１，１０２は、図１〜図３等に示す例よりも、凹部１０８の底壁１０７からより離間する方向に延設されるとともに、延設された当該内側側壁１０１，１０２の中途にガイド部１０５，１０６が設けられていてもよい。そのような構成によれば、延設された内側側壁１０１，１０２によって、ジャック１０と平面照明装置４００との間の空隙を塞ぐことが可能になる。
【００８０】
また、本実施形態では、図１〜図３等に示すように、プラグ２０に一対のガイド溝２０５，２０６が設けられ、ジャック１０に設けられた一対のガイド部１０５，１０６がそれぞれ係合して摺動するように構成されている。しかし、ジャック１０の内側側壁１０１，１０２を底部としてガイド溝とし、当該ガイド溝に、プラグ２０の一対の対向壁２４５，２４６のそれぞれのうち、プラグ２０がジャック１０の凹部１０８内に進入したときに内側側壁１０１，１０２に対向する部分が、ガイド部としてそれぞれ係合して摺動するように構成されていてもよい。そのように構成した場合には、プラグ２０の一対の対向壁２４５，２４６のそれぞれのうち残部は不要になりプラグ２０をより薄型化および小型化することができる。それにより、平面照明装置４００における薄型という利点を犠牲にすることなく当該平面照明装置４００を設置面３００に設置することができる。また、ジャック１０と平面照明装置４００との間の空隙を実質的になくすことが可能になる。
【符号の説明】
【００８１】
１０、１１、１２、１３、１４、１５、１６    ジャック
１０１、１０２  内側側壁
１０３  内側前壁
１０５、１０６  ガイド部
１０８  凹部
１０９、１１０、１１１  導電端子
１１２、１１３  凸部
１５２、１５３  凹部
２０、２１、２２、２６    プラグ
２０１、２０２  側壁部
２０３  前端部
２０５、２０６  ガイド溝
２０９、２１０、２１１  導電端子
２１２、２１３  凹部
２５２、２５３  凸部
３００    設置面
４００    平面照明装置
【図１】
2015041465.tif 000003
【図２】
2015041465.tif 000004
【図３】
2015041465.tif 000005
【図７】
2015041465.tif 000006
【図８】
2015041465.tif 000007
【図１３】
2015041465.tif 000008
【図１５】
2015041465.tif 000009
【図１６】
2015041465.tif 000010
【図１７】
2015041465.tif 000011
【図４】
2015041465.tif 000012
【図５】
2015041465.tif 000013
【図６】
2015041465.tif 000014
【図９】
2015041465.tif 000015
【図１０】
2015041465.tif 000016
【図１１】
2015041465.tif 000017
【図１２】
2015041465.tif 000018
【図１４】
2015041465.tif 000019